(57)【要約】【課題】訪問者の画像をより有効に利用することができるネットワークシステムを提供する。【解決手段】訪問者を撮影するためのカメラと、コントローラ１００とを備えるネットワークシステムが提供される。コントローラ１００は、メモリ１０１と、カメラから訪問者の画像を受信するための通信インターフェイス１０５と、登録者を識別するための識別情報を取得して、識別情報と訪問者の画像から得られる特徴情報とを対応付けてメモリ１０１に記憶するためのプロセッサ１１０とを含む。【選択図】図２
2012205261.tif 000002
【特許請求の範囲】
【請求項１】
訪問者を撮影するためのカメラと、
コントローラとを備え、
前記コントローラは、
メモリと、
前記カメラから前記訪問者の画像を受信するための通信インターフェイスと、
登録者を識別するための識別情報を取得して、前記識別情報と前記訪問者の画像から得られる特徴情報とを対応付けて前記メモリに記憶するためのプロセッサとを含む、ネットワークシステム。
【請求項２】
ドアの錠をさらに備え、
前記プロセッサは、前記錠を開けたユーザを前記登録者として前記メモリに記憶する、請求項１に記載のネットワークシステム。
【請求項３】
前記コントローラは、操作部をさらに含み、
前記プロセッサは、
前記操作部を介して前記錠を開けるための命令と前記識別情報とを受け付け、
前記命令に基づいて前記通信インターフェイスを介して前記錠を開ける、請求項２に記載のネットワークシステム。
【請求項４】
屋内にいる前記ユーザを撮影するための屋内カメラをさらに備え、
前記メモリは、前記ユーザの画像から得られる特徴情報を記憶し、
前記プロセッサは、
前記メモリに記憶されている前記ユーザの特徴情報と前記屋内カメラからの前記ユーザの画像とに基づいて、前記ユーザを前記登録者として前記メモリに記憶する、請求項２に記載のネットワークシステム。
【請求項５】
前記プロセッサは、
前記カメラから前記訪問者の画像を受信した際に、前記メモリに前記訪問者の特徴情報が記憶されているか否かを判断し、
前記メモリに前記訪問者の特徴情報が記憶されていない場合に、前記訪問者の特徴情報を前記メモリに記憶し、
前記メモリに前記訪問者の特徴情報が記憶されている場合に、前記訪問者の特徴情報に対応する前記識別情報を出力する、請求項１から４のいずれか１項に記載のネットワークシステム。
【請求項６】
前記プロセッサは、
前記カメラから前記訪問者の画像を受信した際に、前記メモリに前記訪問者の特徴情報が格納されているか否かを判断し、
前記メモリに前記訪問者の特徴情報が格納されていない場合に、前記訪問者の特徴情報と前記識別情報と前記訪問者の画像が取得された日時とを対応付けて前記メモリに登録し、
前記メモリに前記訪問者の特徴情報が格納されている場合に、前記訪問者の画像が取得された日時から所定期間が経過しているか否かを判断し、
前記訪問者の画像が取得された日時から所定期間が経過していない場合に、前記訪問者の特徴情報に対応する前記識別情報を出力し、
前記訪問者の画像が取得された日時から所定期間が経過している場合に、前記訪問者の特徴情報と前記識別情報と前記訪問者の画像が取得された日時とを更新する、請求項１から４のいずれか１項に記載のネットワークシステム。
【請求項７】
訪問者を撮影するためのカメラとコントローラとを含むネットワークシステムにおける登録方法であって、
前記カメラが、前記訪問者の画像を前記コントローラに送信するステップと、
前記コントローラが、登録者を識別するための識別情報を取得するステップと、
前記コントローラが、前記識別情報と前記訪問者の画像から得られる特徴情報とを対応付けて記憶するステップとを備える、登録方法。
【請求項８】
メモリと、
カメラから訪問者の画像を受信するための通信インターフェイスと、
登録者を識別するための識別情報を取得して、前記識別情報と前記訪問者の画像から得られる特徴情報とを対応付けて前記メモリに記憶するためのプロセッサとを含む、コントローラ。
【発明の詳細な説明】
【技術分野】
【０００１】
本発明は、住宅の玄関に配置されるカメラと当該カメラと通信可能なコントローラとを含むネットワークシステム、登録方法、およびコントローラに関する。
【背景技術】
【０００２】
住宅の玄関に配置されるカメラと当該カメラで取得した訪問者の画像を表示するためのコントローラとが知られている。たとえば、訪問者がインターホンを鳴らすと、インターホンの近傍に配置されているカメラが撮像した画像を屋内のディスプレイに表示するネットワークシステムが知られている。
【０００３】
特開２００８−９６８９号公報（特許文献１）には、顔登録装置、顔認証装置および顔登録方法が開示されている。特開２００８−９６８９号公報（特許文献１）によると、登録装置は、撮影環境の異なる登録用のカメラ、カメラと監視用のカメラとから取得した学習用の被写体の顔画像の類似度合いを学習して画質を評価するための評価基準を作成する学習部と、特定の被写体の顔画像の画質を評価基準に基づいて評価する評価部と、画質の評価に応じて顔画像を選択し、選択された顔画像から認証情報を作成して登録認証情報として登録する登録部とを備えている。認証部は、監視用のカメラから取得して得た不特定の被写体の顔画像から作成される認証情報と登録認証情報とを照合し、登録されている者であるか否かを判定する。
【先行技術文献】
【特許文献】
【０００４】
【特許文献１】特開２００８−９６８９号公報
【発明の概要】
【発明が解決しようとする課題】
【０００５】
しかしながら、訪問者の画像を登録するだけでは、訪問者の画像を有効に利用することはできない。本発明は、かかる問題を解決するためになされたものであり、その目的は、訪問者の画像をより有効に利用することができるネットワークシステム、登録方法、およびコントローラを提供することである。
【課題を解決するための手段】
【０００６】
この発明のある局面に従うと、訪問者を撮影するためのカメラと、コントローラとを備えるネットワークシステムが提供される。コントローラは、メモリと、カメラから訪問者の画像を受信するための通信インターフェイスと、登録者を識別するための識別情報を取得して、識別情報と訪問者の画像から得られる特徴情報とを対応付けてメモリに記憶するためのプロセッサとを含む。
【０００７】
好ましくは、ネットワークシステムは、ドアの錠をさらに備える。プロセッサは、錠を開けたユーザを登録者としてメモリに記憶する。
【０００８】
好ましくは、コントローラは、操作部をさらに含む。プロセッサは、操作部を介して錠を開けるための命令と識別情報とを受け付け、命令に基づいて通信インターフェイスを介して錠を開ける。
【０００９】
好ましくは、ネットワークシステムは、屋内にいるユーザを撮影するための屋内カメラをさらに備える。メモリは、ユーザの画像から得られる特徴情報を記憶する。プロセッサは、メモリに記憶されているユーザの特徴情報と屋内カメラからのユーザの画像とに基づいて、屋内にいるユーザを登録者としてメモリに記憶する。
【００１０】
好ましくは、プロセッサは、カメラから訪問者の画像を受信した際に、メモリに訪問者の特徴情報が記憶されているか否かを判断し、メモリに訪問者の特徴情報が記憶されていない場合に、訪問者の特徴情報をメモリに記憶し、メモリに訪問者の特徴情報が記憶されている場合に、訪問者の特徴情報に対応する識別情報を出力する。
【００１１】
好ましくは、プロセッサは、カメラから訪問者の画像を受信した際に、メモリに訪問者の特徴情報が格納されているか否かを判断する。プロセッサは、メモリに訪問者の特徴情報が格納されていない場合に、訪問者の特徴情報と識別情報と訪問者の画像が取得された日時とを対応付けてメモリに登録する。プロセッサは、メモリに訪問者の特徴情報が格納されている場合に、訪問者の画像が取得された日時から所定期間が経過しているか否かを判断する。プロセッサは、訪問者の画像が取得された日時から所定期間が経過していない場合に、訪問者の特徴情報に対応する識別情報を出力し、訪問者の画像が取得された日時から所定期間が経過している場合に、訪問者の特徴情報と識別情報と訪問者の画像が取得された日時とを更新する。
【００１２】
この発明の別の局面に従うと、訪問者を撮影するためのカメラとコントローラとを含むネットワークシステムにおける登録方法が提供される。登録方法は、カメラが、訪問者の画像をコントローラに送信するステップと、コントローラが、登録者を識別するための識別情報を取得するステップと、コントローラが、識別情報と訪問者の画像から得られる特徴情報とを対応付けて記憶するステップとを備える。
【００１３】
この発明の別の局面に従うと、メモリと、カメラから訪問者の画像を受信するための通信インターフェイスと、登録者を識別するための識別情報を取得して、識別情報と訪問者の画像から得られる特徴情報とを対応付けてメモリに記憶するためのプロセッサとを含むコントローラが提供される。
【発明の効果】
【００１４】
以上のように、本発明によって、訪問者の画像をより有効に利用することができるネットワークシステム、登録方法、およびコントローラが提供される。
【図面の簡単な説明】
【００１５】
【図１】本実施の形態に係るネットワークシステム１の全体構成を示すイメージ図である。
【図２】本実施の形態に係るコントローラ１００のハードウェア構成を表わすブロック図である。
【図３】本実施の形態に係る家族データベース１０１Ａのデータ構造を示すイメージ図である。
【図４】本実施の形態に係る訪問者データベース１０１Ｂのデータ構造を示すイメージ図である。
【図５】本実施の形態に係るスケジュールデータベース１０１Ｄのデータ構造を示すイメージ図である。
【図６】本実施の形態に係るコントローラ１００の機能構成を示すブロック図である。
【図７】実施の形態１に係るディスプレイ１０２またはテレビ５００を示す第１のイメージ図である。
【図８】実施の形態１に係るディスプレイ１０２またはテレビ５００を示す第２のイメージ図である。
【図９】本実施の形態に係る屋外カメラ２００（屋内カメラ３００）の構成を表わすブロック図である。
【図１０】本実施の形態に係るテレビ５００の構成を表わすブロック図である。
【図１１】実施の形態１に係るコントローラ１００における制御処理の処理手順を示すフローチャートである。
【図１２】実施の形態２に係るコントローラ１００における制御処理の処理手順を示すフローチャートである。
【図１３】実施の形態２に係るディスプレイ１０２またはテレビ５００を示す第１のイメージ図である。
【図１４】実施の形態２に係るディスプレイ１０２またはテレビ５００を示す第２のイメージ図である。
【図１５】実施の形態２に係るディスプレイ１０２またはテレビ５００を示す第３のイメージ図である。
【図１６】実施の形態２に係るディスプレイ１０２またはテレビ５００を示す第４のイメージ図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
＜ネットワークシステムの動作概要＞
まず、本実施の形態に係るネットワークシステムの動作概要について説明する。図１は、本実施の形態に係るネットワークシステム１の全体構成を示すイメージ図である。
【００１８】
図１を参照して、本実施の形態に係るネットワークシステム１は、たとえば、住宅やオフィスなどに設置される。ネットワークシステム１は、玄関に配置されるドア４００と、ドアの錠４５０と、玄関近傍に設置される屋外カメラ２００および屋内カメラ３００と、室内に配置されるテレビ５００とを含む。なお、ネットワークシステム１は、家電として、テレビ５００以外にも、エアコンや、テレビや、太陽電池を含んでもよい。
【００１９】
ネットワークシステム１は、屋外カメラ２００、屋内カメラ３００、錠４５０、テレビ５００、その他の家電を制御するためのコントローラ１００を含む。すなわち、コントローラ１００は、有線あるいは無線のネットワーク６００を介して、屋外カメラ２００、屋内カメラ３００、錠４５０、テレビ５００とデータ通信が可能である。コントローラ１００は、ネットワーク６００として、たとえば、有線ＬＡＮ（Local  Area  Network）や無線ＬＡＮやＰＬＣ（Power  Line  Communications）やBluetooth（登録商標）などを利用する。
【００２０】
本実施の形態においては、訪問者が玄関に位置すると、あるいは訪問者がインターホンの呼び鈴を押すと、屋外カメラ２００が、ネットワーク６００を介して、訪問者の画像をコントローラ１００に送信する。コントローラ１００は、訪問者の顔データが登録されているか否かを判断する。なお、顔データ（訪問者の特徴を示すための特徴情報）は、顔画像そのものであってもよいし、顔画像の特徴量を示すデータであってもよい。
【００２１】
訪問者の顔データが既にデータベースに登録されている場合、コントローラ１００は、当該訪問者の顔データに対応する登録者の識別情報（名前など）と訪問者が来訪した旨とを出力する。
【００２２】
訪問者の顔データが登録されていない場合、コントローラ１００は、訪問者の顔画像（動画像または静止画像）を表示する。コントローラ１００は、所定期間の間、玄関のドア４００を開錠するための命令（開錠命令）と登録者の識別情報とを待ち受ける。コントローラ１００は、開錠命令と登録者の識別情報とを受け付けると、玄関のドア４００を開錠するとともに、訪問者の顔データと登録者の識別情報とを対応付けて登録する。
【００２３】
これによって、次回から、コントローラ１００は、屋外カメラ２００からの顔画像とデータベースの顔データとに基づいて、当該訪問者の顔データに対応する登録者の識別情報（名前など）と訪問者が来訪した旨とを出力することができるようになる。
【００２４】
ただし、屋内のユーザは、コントローラ１００を介さずに、手動で錠４５０を開けてもよい。より詳細には、コントローラ１００は、予めデータベースに家族の顔データを記憶している。屋内カメラ３００が、玄関で鍵を開ける人を撮影し、撮影画像とデータベースの顔データとに基づいて鍵を開けたユーザを登録者として認識してもよい。コントローラ１００は、次回のために、屋外カメラ２００からの画像に基づいて、顔データと登録者とを対応付けて登録する。
【００２５】
ただし、屋内カメラ３００は、玄関近傍の人の画像を撮影するものに限らない。たとえば、コントローラ１００、テレビ５００、またはコントローラ１００やテレビ５００が配置される部屋自体が、コントローラ１００またはテレビ５００を操作する人を撮影するための屋内カメラ３００を有していてもよい。
【００２６】
以下、このような機能を実現するためのネットワークシステム１の具体的な構成について詳述する。
【００２７】
＜コントローラ１００のハードウェア構成＞
次に、本実施の形態に係るコントローラ１００のハードウェア構成の一態様について説明する。図２は、本実施の形態に係るコントローラ１００のハードウェア構成を表わすブロック図である。
【００２８】
コントローラ１００は、メモリ１０１と、ディスプレイ１０２と、タブレット１０３と、ボタン１０４と、通信インターフェイス１０５と、スピーカ１０７と、時計１０８と、ＣＰＵ（Central  Processing  Unit）１１０とを含む。
【００２９】
メモリ１０１は、各種のＲＡＭ（Random  Access  Memory）や、ＲＯＭ（Read-Only  Memory）や、ハードディスクなどである。メモリ１０１は、ＣＰＵ１１０によって実行される制御プログラム、家族データベース１０１Ａ、訪問者データベース１０１Ｂ、顔データベース１０１Ｃ、スケジュールデータベース１０１Ｄの状態などを記憶する。
【００３０】
図３は、本実施の形態に係る家族データベース１０１Ａのデータ構造を示すイメージ図である。図３を参照して、家族データベース１０１Ａは、家族のメンバー（ユーザ）毎に、家族ＩＤと、名前と、顔データの格納場所とを、互いに対応付けて格納する。
【００３１】
図４は、本実施の形態に係る訪問者データベース１０１Ｂのデータ構造を示すイメージ図である。図４を参照して、訪問者データベース１０１Ｂは、訪問者毎に、訪問者ＩＤと、顔画像の撮影日（最新更新日）または顔データの登録日（最新更新日）と、顔データの格納場所と、人物関係としての登録者の名前または家族ＩＤと、訪問者の名前と、住所と、電話番号と、Ｅ−ｍａｉｌアドレスと、訪問時のメッセージとを、互いに対応付けて格納する。
【００３２】
図５は、本実施の形態に係るスケジュールデータベース１０１Ｄのデータ構造を示すイメージ図である。図５を参照して、スケジュールデータベース１０１Ｄは、スケジュール毎に、行動人物名または家族ＩＤと、スケジュールＩＤと、スケジュールの登録日時と、予定の名称と、スケジュール日と、開始時刻と、終了時刻と、関連人物と、場所と、到達手段と、行動内容とを、互いに対応付けて格納する。
【００３３】
図２に戻って、ディスプレイ１０２は、ＣＰＵ１１０によって制御されることによって、各種の情報を表示する。タブレット１０３は、ユーザの指によるタッチ操作を検出して、タッチ座標などをＣＰＵ１１０に入力する。ＣＰＵ１１０は、タブレット１０３を介して、ユーザからの命令を受け付ける。
【００３４】
本実施の形態においては、ディスプレイ１０２の表面にタブレット１０３が敷設されている。すなわち、本実施の形態においては、ディスプレイ１０２とタブレット１０３とがタッチパネル１０６を構成する。
【００３５】
ボタン１０４は、コントローラ１００の表面に配置される。テンキーなどの複数のボタンがコントローラ１００に配置されても良い。ボタン１０４は、ユーザからの命令を受け付ける。ボタン１０４は、ユーザからの命令をＣＰＵ１１０に入力する。
【００３６】
通信インターフェイス１０５は、ＣＰＵ１１０によって制御されることによって、ネットワーク６００を介して、屋外カメラ２００、屋内カメラ３００、錠４５０、テレビ５００とデータを送受信する。
【００３７】
スピーカ５０７は、ＣＰＵ１１０によって制御されることによって、音声を出力する。たとえば、ＣＰＵ１１０は、通信インターフェイス１０５を介して受信した玄関のインターホンからの信号に基づいて、インターホンが鳴らされたこと通知するための音声をスピーカ５０７に出力させる。
【００３８】
時計１０８は、現在時刻を計測することによって、現在時刻をＣＰＵ１１０に入力する。ＣＰＵ１１０は、時計１０８からのデータに基づいて、現在時刻を取得したり、タイマ機能を実現したりする。
【００３９】
ＣＰＵ１１０は、メモリ１０１に記憶されている各種のプログラムを実行することによって、図６に示す機能や図１１，１２に示す処理を実現する。コントローラ１００における処理は、各ハードウェアおよびＣＰＵ１１０により実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００４０】
このようなソフトウェアは、図示しない読取装置を利用することによってその記憶媒体から読み取られて、あるいは、通信インターフェイス１０５を利用することによってダウンロードされて、メモリ１０１に一旦格納される。ＣＰＵ１１０は、ソフトウェアを実行可能なプログラムの形式でメモリ１０１に格納してから、当該プログラムを実行する。
【００４１】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００４２】
ここでいうプログラムとは、ＣＰＵにより直接実行可能なプログラムだけでなく、ソースプログラム形式のプログラム、圧縮処理されたプログラム、暗号化されたプログラム等を含む。
【００４３】
＜コントローラ１００の機能構成＞
次に、本実施の形態に係るコントローラ１００の機能構成について説明する。図６は、本実施の形態に係るコントローラ１００の機能構成を示すブロック図である。
【００４４】
図６を参照して、本実施の形態に係るＣＰＵ１１０は、メモリ１０１に格納されているプログラムを実行することによって、データ取得部１１１、顔検出部１１２、顔照合部１１３、認証判定部１１４、データベース登録部１１５、報知部１１６などのモジュールを実現する。ただし、データ取得部１１１、顔検出部１１２、顔照合部１１３、認証判定部１１４、データベース登録部１１５、報知部１１６の一部または全部が、ハードウェア回路によって実現されてもよい。
【００４５】
データ取得部１１１は、ＣＰＵ１１０のインターフェイスとコントローラ１００の通信インターフェイス１０５とを介して、屋外カメラ２００から訪問者の画像を取得する。データ取得部１１１は、ＣＰＵ１１０のインターフェイスとコントローラ１００の通信インターフェイス１０５とを介して、屋内カメラ３００からユーザの画像を取得する。
【００４６】
顔検出部１１２は、屋外カメラ２００から受信した画像から、訪問者の顔画像を取得する。顔検出部１１２は、屋内カメラ３００から受信した画像から、錠４５０を開けたユーザあるいはコントローラ１００やテレビ５００を操作しているユーザの顔画像を取得する。このとき、顔検出部１１２は、訪問者や錠４５０を開けたユーザの顔画像に基づいて、顔データとしての特徴量を取得してもよい。
【００４７】
顔照合部１１３は、訪問者の顔データが、顔データベース１０１Ｃに既に登録されている顔データのいずれかに合致するか否かを判断する。顔照合部１１３は、訪問者の顔データが、顔データベース１０１Ｃに既に登録されている顔データのいずれかに合致した場合には、顔データの登録日から所定期間（たとえば、半年や１年）が経過しているか否かを判断する。なお、顔照合部１１３が、訪問者や錠４５０を開けたユーザの顔画像から、顔データに対応する特徴量を取得してもよい。
【００４８】
顔照合部１１３が、訪問者の顔データが顔データベース１０１Ｃに既に登録されている顔データのいずれにも合致しないと判断した場合、あるいは、顔データの登録日から所定期間（たとえば、半年や１年）が経過していると判断した場合に、報知部１１６は、通信インターフェイス１０５を介して、ディスプレイ１０２またはテレビ５００に訪問者の顔画像を表示させる。
【００４９】
図７は、実施の形態１に係るディスプレイ１０２またはテレビ５００を示す第１のイメージ図である。図７を参照して、報知部１１６は、ディスプレイ１０２またはテレビ５００に、訪問者の画像１０２Ａと、登録者の家族ＩＤの入力欄と、開錠ボタン１０２Ｃとを表示させる。
【００５０】
図６に戻って、報知部１１６は、顔照合部１１３が、訪問者の顔データが顔データベース１０１Ｃに既に登録されている顔データのいずれかに合致し、顔データの登録日から所定期間（たとえば、半年や１年）が経過していないと判断した場合に、通信インターフェイス１０５を介して、ディスプレイ１０２またはテレビ５００に訪問者が来訪した旨と登録者とを表示させる。
【００５１】
図８は、実施の形態１に係るディスプレイ１０２またはテレビ５００を示す第２のイメージ図である。図８を参照して、報知部１１６は、ディスプレイ１０２またはテレビ５００に、登録者の名前を含む、訪問者が来訪した旨のメッセージ１０２Ｄと、開錠ボタン１０２Ｃとを表示させる。なお、報知部１１６は、登録されている人物が訪問した場合でも、ディスプレイ１０２またはテレビ５００に、訪問者の画像１０２Ａまたは登録済みのデータベース顔画像を、訪問者が来訪した旨のメッセージ１０２Ｄと、開錠ボタン１０２Ｃと共に表示してもよい。
【００５２】
図６に戻って、認証判定部１１４は、顔照合部１１３が、訪問者の顔データが顔データベース１０１Ｃに既に登録されている顔データのいずれにも合致しないと判断した場合、あるいは、顔データの登録日から所定期間（たとえば、半年や１年）が経過していると判断した場合に、コントローラ１００からの登録者の家族ＩＤと開錠命令とに応じて、通信インターフェイス１０５を介して錠４５０を開ける。
【００５３】
データベース登録部１１５は、顔照合部１１３が、訪問者の顔データが顔データベース１０１Ｃに既に登録されている顔データのいずれにも合致しないと判断した場合に、開錠命令に応じて、訪問者の顔データを顔データベース１０１Ｃに登録し、登録者の家族ＩＤと訪問者の顔データの格納場所とを訪問者データベース１０１Ｂに登録する。また、データベース登録部１１５は、顔照合部１１３が、顔データの登録日から所定期間（たとえば、半年や１年）が経過していると判断した場合に、開錠命令に応じて、訪問者の顔データを更新し、訪問者データベース１０１Ｂの登録日を更新する。
【００５４】
認証判定部１１４は、顔照合部１１３が、訪問者の顔データが顔データベース１０１Ｃに既に登録されている顔データのいずれかに合致し、顔データの登録日から所定期間（たとえば、半年や１年）が経過していないと判断した場合に、開錠命令に応じて、通信インターフェイス１０５を介して錠４５０を開ける。
【００５５】
＜カメラ２００，３００の構成＞
本実施の形態に係る屋外カメラ２００および屋内カメラ３００の構成の一態様について説明する。屋外カメラ２００および屋内カメラ３００の構成は同様であるため、以下では、屋外カメラ２００の構成について説明する。図９は、本実施の形態に係る屋外カメラ２００（屋内カメラ３００）の構成を表わすブロック図である。
【００５６】
図９を参照して、屋外カメラ２００は、メモリ２０１と、センサ２０２と、通信インターフェイス２０５と、ＣＰＵ２１０とを含む。ＣＰＵ２１０は、センサ２０２を利用して人を撮影する。ＣＰＵ２１０は、通信インターフェイス２０５を介して、撮影画像を逐次コントローラ１００に送信する。なお、ＣＰＵ２１０は、撮像画像から顔画像を抽出したり、顔画像から顔データとしての特徴量を取得してもよい。ＣＰＵ２１０は、通信インターフェイス２０５を介して、顔データをコントローラ１００へと送信する。
【００５７】
また、屋外カメラ２００および屋内カメラ３００は、人感センサを搭載してもよい。この場合、ＣＰＵ２１０は、人感センサによって人が検知されたときに、センサ２０２を動作（撮影）させる。ＣＰＵ２１０は、撮影画像をメモリ２０１に一時的に格納することもできる。
【００５８】
＜テレビ５００の構成＞
本実施の形態に係るテレビ５００の構成の一態様について説明する。図１０は、本実施の形態に係るテレビ５００の構成を表わすブロック図である。
【００５９】
図１０を参照して、テレビ５００は、メモリ５０１と、ディスプレイ５０２と、ボタン５０４と、通信インターフェイス５０５と、スピーカ５０７と、リモコン受信部５０９と、ＣＰＵ５１０とを含む。
【００６０】
メモリ５０１は、コントローラ１００のメモリ１０１と同様に実現され得る。メモリ５０１は、ＣＰＵ５１０によって実行される制御プログラムや、コントローラ１００から受信したデータなどを記憶する。
【００６１】
ディスプレイ５０２は、ＣＰＵ５１０によって制御される。より詳細には、ディスプレイ５０２は、図示しないＴＶチューナやＶＲＡＭ（Video  RAM）からのデータに基づいて、静止画像や動画像を表示する。たとえば、ＣＰＵ５１０は、ディスプレイ５０２に、図７，８，１３〜１６に示すような画面を表示させる。
【００６２】
ボタン５０４は、テレビ５００の表面に配置される。テレビ５００は、決定キー、方向キー、テンキーなどの複数のボタン５０４を有してもよい。ボタン５０４は、ユーザからの命令を受け付けて、当該命令をＣＰＵ５１０に入力する。
【００６３】
通信インターフェイス５０５は、ＣＰＵ５１０によって制御されることによって、ネットワーク６００を介して、コントローラ１００とデータを送受信する。通信インターフェイス５０５は、無線ＬＡＮ、ZigBee(登録商標)、Bluetooth（登録商標）、有線ＬＡＮ（Local  Area  Network）、またはＰＬＣ（Power  Line  Communications）などを利用することによって、コントローラ１００とデータを送受信する。
【００６４】
スピーカ５０７は、ＣＰＵ５１０からの命令に基づいて、音声を出力する。たとえば、ＣＰＵ５１０は、音声データに基づいて、スピーカ５０７に音声を出力させる。
【００６５】
リモコン受信部５０９は、コントローラ１００から制御信号を受信する。たとえば、リモコン受信部５０９は、赤外線、無線ＬＡＮ、ZigBee(登録商標)、Bluetooth（登録商標）などを利用することによって、コントローラ１００から信号を受信する。ＣＰＵ５１０は、ディスプレイ５０２が図７，８，１３〜１６に示すような画面を表示しているときに、リモコン受信部５０９を介して図示しないリモコンなどから家族ＩＤや開錠命令や非開錠命令などを受け付ける。
【００６６】
ＣＰＵ５１０は、メモリ５０１に記憶されている各種のプログラムを実行することによって、各種の情報処理を実行する。換言すれば、テレビ５００における処理は、各ハードウェアおよびＣＰＵ５１０により実行されるソフトウェアによって実現される。このようなソフトウェアは、メモリ５０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００６７】
このようなソフトウェアは、図示しない読取装置を利用することによってその記憶媒体から読み取られて、あるいは、通信インターフェイス５０５を利用することによってダウンロードされて、メモリ５０１に一旦格納される。ＣＰＵ５１０は、ソフトウェアを実行可能なプログラムの形式でメモリ５０１に格納してから、当該プログラムを実行する。なお、記憶媒体およびプログラムは、コントローラ１００に係る記録媒体やプログラムと同様に実現され得る。
【００６８】
＜コントローラ１００における制御処理＞
次に、本実施の形態に係るコントローラ１００における制御処理について説明する。図１１は、実施の形態１に係るコントローラ１００における制御処理の処理手順を示すフローチャートである。
【００６９】
ＣＰＵ１１０は、通信インターフェイス１０５を介して、屋外カメラ２００から訪問者の顔画像を受信し始めると、以下の処理を実行する。より詳細には、ＣＰＵ１１０は、インターホンが鳴らされると、通信インターフェイス１０５を介して、屋外カメラ２００から画像を受信し始める。
【００７０】
図１１を参照して、ＣＰＵ１１０は、メモリ１０１の顔データベース１０１Ｃを参照して、訪問者の顔データが既に登録されているか否かを判断する（ステップＳ１０２）。訪問者の顔データが未だ登録されていない場合（ステップＳ１０２においてＮＯである場合）、ＣＰＵ１１０は、登録用の顔データを作成する（ステップＳ１０４）。
【００７１】
図７に示すように、ＣＰＵ１１０は、通信インターフェイス１０５を介して屋外カメラ２００から受信した顔画像（動画像）を逐次ディスプレイ１０２に表示する（ステップＳ１０６）。また、ＣＰＵ１１０は、通信インターフェイス１０５を介して、テレビ５００に顔画像を表示させる。
【００７２】
ＣＰＵ１１０は、時計１０８を参照して、タイマをスタートする（ステップＳ１０８）。ＣＰＵ１１０は、タブレット１０３またはボタン１０４を介して家族ＩＤまたは家族の名前やニックネームを受け付けたか否かを判断する（ステップＳ１１６）。または、ＣＰＵ１１０は、通信インターフェイス１０５を介して、テレビ５００から家族ＩＤまたは家族の名前やニックネームを受け付けたか否かを判断する。
【００７３】
なお、ＣＰＵ１１０は、ディスプレイ１０２やテレビ５００に、家族の名前のボタンを選択可能に表示してもよい。この場合、ＣＰＵ１１０は、ボタンの押下に応じて、自動的に登録者の家族ＩＤの入力を受け付けることができる。あるいは、ＣＰＵ１１０は、通信インターフェイス１０５を介して屋内カメラ３００から玄関のドアの錠４５０を開けたユーザあるいはコントローラ１００やテレビ５００を操作しているユーザの顔画像を取得することによって、顔データベース１０１Ｃを参照してユーザの家族ＩＤを登録者の家族ＩＤとして取得してもよい。すなわち、ＣＰＵ１１０は、誰（登録者）が命令を入力しているのかを特定できればよい。
【００７４】
ＣＰＵ１１０は、家族ＩＤを受け付けていない場合（ステップＳ１１６においてＮＯである場合）、タイマをスタートしてから所定時間が経過したか否かを判断する（ステップＳ１２０）。タイマをスタートしてから所定時間が経過していない場合（ステップＳ１２０においてＮＯである場合）、ステップＳ１０８からの処理を繰り返す。タイマをスタートしてから所定時間が経過した場合（ステップＳ１２０においてＹＥＳである場合）、処理を終了する。
【００７５】
ＣＰＵ１１０は、家族ＩＤを受け付けると（ステップＳ１１６においてＹＥＳである場合）、タブレット１０３またはボタン１０４を介して開錠命令を受け付けたか否かを判断する（ステップＳ１１８）。または、ＣＰＵ１１０は、通信インターフェイス１０５を介して、テレビ５００から開錠命令を受け付けたか否かを判断する。ＣＰＵ１１０は、開錠命令を受け付けていない場合（ステップＳ１１８においてＮＯである場合）、ステップＳ１２０からの処理を繰り返す。すなわち、ＣＰＵ１１０は、開錠命令の入力を待ち受ける。
【００７６】
ＣＰＵ１１０は、開錠命令を受け付けた場合（ステップＳ１１８においてＹＥＳである場合）、作成した顔データを顔データベース１０１Ｃに登録し、家族ＩＤと顔データの格納場所とを訪問者データベース１０１Ｂに登録する（ステップＳ１２２）。なお、ＣＰＵ１１０は、このとき、スケジュールデータベース１０１Ｄを参照して、時計１０８からの現在時刻と行動人物名（家族ＩＤ）とに基づいて、訪問者に関する情報を訪問者データベース１０１Ｂに登録する。
【００７７】
ＣＰＵ１１０は、通信インターフェイス１０５を介して、錠４５０を開ける（ステップＳ１２４）。ＣＰＵ１１０は、処理を終了する。
【００７８】
一方、ＣＰＵ１１０は、訪問者の顔データが既に登録されている場合（ステップＳ１０２においてＹＥＳである場合）、ＣＰＵ１１０は、顔データの登録日から所定期間経過しているか否かを判断する（ステップＳ１３２）。登録日から所定期間経過している場合、ＣＰＵ１１０は、ステップＳ１０４からの処理を繰り返す。
【００７９】
ただし、この場合には、ＣＰＵ１１０は、開錠命令を受け付けた場合（ステップＳ１１８においてＹＥＳである場合）、作成した顔データで顔データベース１０１Ｃを更新する。ＣＰＵ１１０は、スケジュールデータベース１０１Ｄを参照して、時計１０８からの現在時刻と行動人物名（家族ＩＤ）とに基づいて、訪問者に関する情報で訪問者データベース１０１Ｂを更新する。
【００８０】
ＣＰＵ１１０は、登録日から所定期間経過していない場合（ステップＳ１３２においてＮＯである場合）、図８に示すように、訪問者データベース１０１Ｂを参照して、訪問者の関連情報として登録者の知り合いが来訪した旨をディスプレイ１０２に表示する（ステップＳ１３４）。また、ＣＰＵ１１０は、通信インターフェイス１０５を介して、テレビ５００に登録者を表示させる。
【００８１】
なお、訪問者データベース１０１Ｂが訪問者毎にメッセージを格納し、ＣＰＵ１１０が訪問者データベース１０１Ｂのメッセージをそのまま表示してもよいし、ＣＰＵ１１０が訪問者データベース１０１Ｂの登録者に基づいてメッセージを作成してもよい。
【００８２】
ＣＰＵ１１０は、時計１０８を参照して、タイマをスタートする（ステップＳ１３６）。ＣＰＵ１１０は、タブレット１０３またはボタン１０４を介して開錠命令を受け付けたか否かを判断する（ステップＳ１４４）。または、ＣＰＵ１１０は、通信インターフェイス１０５を介して、テレビ５００から開錠命令を受け付けたか否かを判断する。開錠命令を受け付けた場合（ステップＳ１４４においてＹＥＳである場合）、ステップＳ１２４からの処理を繰り返す。
【００８３】
ＣＰＵ１１０は、開錠命令を受け付けていない場合（ステップＳ１４４においてＮＯである場合）、タイマをスタートしてから所定時間が経過したか否かを判断する（ステップＳ１４６）。タイマをスタートしてから所定時間が経過していない場合（ステップＳ１４６においてＮＯである場合）、ステップＳ１４４からの処理を繰り返す。タイマをスタートしてから所定時間が経過した場合（ステップＳ１４６においてＹＥＳである場合）、処理を終了する。
【００８４】
＜変形例＞
次に、本実施の形態の変形例について説明する。本変形例に係るネットワークシステム１では、開錠命令とは別に、コントローラ１００がユーザから訪問者の来訪を確認した旨の命令を受け付けるものである。
【００８５】
本変形例に係るネットワークシステムの全体構成、動作概要、コントローラ１００の構成、屋外カメラ２００の構成、屋内カメラ３００の構成は、それぞれ、図１−６，９，１０に示す実施の形態１のそれと同様であるため、ここでは説明を繰り返さない。
【００８６】
以下では、本実施の形態に係るコントローラ１００における制御処理について説明する。図１２は、実施の形態２に係るコントローラ１００における制御処理の処理手順を示すフローチャートである。
【００８７】
ＣＰＵ１１０は、通信インターフェイス１０５を介して、屋外カメラ２００から訪問者の顔画像を受信し始めると、以下の処理を実行する。より詳細には、ＣＰＵ１１０は、インターホンが鳴らされると、通信インターフェイス１０５を介して、屋外カメラ２００から画像を受信し始める。
【００８８】
図１２を参照して、ＣＰＵ１１０は、メモリ１０１の顔データベース１０１Ｃを参照して、訪問者の顔データが既に登録されているか否かを判断する（ステップＳ２０２）。訪問者の顔データが未だ登録されていない場合（ステップＳ２０２においてＮＯである場合）、ＣＰＵ１１０は、登録用の顔データを作成する（ステップＳ２０４）。
【００８９】
ＣＰＵ１１０は、通信インターフェイス１０５を介して屋外カメラ２００から受信した顔画像（動画像）を逐次ディスプレイ１０２に表示する（ステップＳ２０６）。また、ＣＰＵ１１０は、通信インターフェイス１０５を介して、テレビ５００に顔画像を表示させる。
【００９０】
図１３は、実施の形態２に係るディスプレイ１０２またはテレビ５００を示す第１のイメージ図である。図１３を参照して、ＣＰＵ１１０は、ディスプレイ１０２またはテレビ５００に、訪問者の画像１０２Ａと、確認ボタン１０２Ｅとを表示させる。
【００９１】
ＣＰＵ１１０は、時計１０８を参照して、タイマをスタートする（ステップＳ２０８）。ＣＰＵ１１０は、タブレット１０３またはボタン１０４を介して確認ボタン１０２Ｅが押下されたか否かを判断する（ステップＳ２１０）。確認ボタン１０２Ｅが押下されていない場合（ステップＳ２１０においてＮＯである場合）、タイマをスタートしてから所定時間が経過したか否かを判断する（ステップＳ２１２）。
【００９２】
タイマをスタートしてから所定時間が経過していない場合（ステップＳ２１２においてＮＯである場合）、ステップＳ２１０からの処理を繰り返す。タイマをスタートしてから所定時間が経過した場合（ステップＳ２１０においてＹＥＳである場合）、ＣＰＵ１１０は、処理を終了する。
【００９３】
ＣＰＵ１１０は、確認ボタン１０２Ｅが押下された場合（ステップＳ２１０においてＹＥＳである場合）、ディスプレイ１０２またはテレビ５００に顔画像（動画像）の表示を終了させる（ステップＳ２１４）。ＣＰＵ１１０は、タブレット１０３またはボタン１０４を介して、家族ＩＤと開錠ボタン１０２Ｃと非開錠ボタン１０２Ｆの入力を受け付ける。
【００９４】
図１４は、実施の形態２に係るディスプレイ１０２またはテレビ５００を示す第２のイメージ図である。図１４を参照して、ＣＰＵ１１０は、ディスプレイ１０２またはテレビ５００に、登録者の家族ＩＤの入力欄と、開錠ボタン１０２Ｃと、非開錠ボタン１０２Ｆとを表示させる。
【００９５】
ＣＰＵ１１０は、タブレット１０３またはボタン１０４を介して家族ＩＤまたは家族の名前やニックネームを受け付けたか否かを判断する（ステップＳ２１６）。または、ＣＰＵ１１０は、通信インターフェイス１０５を介して、テレビ５００から家族ＩＤまたは家族の名前やニックネームを受け付けたか否かを判断する。
【００９６】
なお、ＣＰＵ１１０は、ディスプレイ１０２やテレビ５００に、家族の名前のボタンを選択可能に表示してもよい。この場合、ＣＰＵ１１０は、ボタンの押下に応じて、自動的に登録者の家族ＩＤの入力を受け付けることができる。あるいは、ＣＰＵ１１０は、通信インターフェイス１０５を介して屋内カメラ３００から玄関のドアの錠４５０を開けたユーザあるいはコントローラ１００やテレビ５００を操作しているユーザの顔画像を取得することによって、顔データベース１０１Ｃを参照してユーザの家族ＩＤを登録者の家族ＩＤとして取得してもよい。すなわち、ＣＰＵ１１０は、誰（登録者）が命令を入力しているのかを特定できればよい。
【００９７】
ＣＰＵ１１０は、家族ＩＤを受け付けていない場合（ステップＳ２１６においてＮＯである場合）、ステップＳ２１６の処理を繰り返す。ＣＰＵ１１０は、家族ＩＤを受け付けた場合（ステップＳ２１６においてＹＥＳである場合）、タブレット１０３またはボタン１０４を介して開錠命令を受け付けたか否かを判断する（ステップＳ２１８）。または、ＣＰＵ１１０は、通信インターフェイス１０５を介して、テレビ５００から開錠命令を受け付けたか否かを判断する。ＣＰＵ１１０は、開錠命令を受け付けていない場合（ステップＳ２１８においてＮＯである場合）、非開錠命令を受け付けたか否かを判断する（ステップＳ２２０）。
【００９８】
ＣＰＵ１１０は、非開錠命令を受け付けていない場合（ステップＳ２２０においてＮＯである場合）、ステップＳ２１８からの処理を繰り返す。非開錠命令を受け付けた場合（ステップＳ２２０においてＹＥＳである場合）、処理を終了する。すなわち、ＣＰＵ１１０は、開錠命令および非開錠命令の入力を待ち受ける。
【００９９】
ＣＰＵ１１０は、開錠命令を受け付けた場合（ステップＳ２１８においてＹＥＳである場合）、作成した顔データを顔データベース１０１Ｃに登録し、家族ＩＤと顔データの格納場所とを訪問者データベース１０１Ｂに登録する（ステップＳ２２２）。なお、ＣＰＵ１１０は、このとき、スケジュールデータベース１０１Ｄを参照して、時計１０８からの現在時刻と行動人物名（家族ＩＤ）とに基づいて、訪問者に関する情報を訪問者データベース１０１Ｂに登録する。
【０１００】
ＣＰＵ１１０は、通信インターフェイス１０５を介して、錠４５０を開ける（ステップＳ２２４）。ＣＰＵ１１０は、処理を終了する。
【０１０１】
一方、ＣＰＵ１１０は、訪問者の顔データが既に登録されている場合（ステップＳ２０２においてＹＥＳである場合）、ＣＰＵ１１０は、登録日から所定期間経過しているか否かを判断する（ステップＳ２３２）。登録日から所定期間経過している場合、ＣＰＵ１１０は、ステップＳ２０４からの処理を繰り返す。
【０１０２】
ただし、この場合には、ＣＰＵ１１０は、開錠命令を受け付けた場合（ステップＳ２１８においてＹＥＳである場合）、作成した顔データで顔データベース１０１Ｃを更新する。ＣＰＵ１１０は、スケジュールデータベース１０１Ｄを参照して、時計１０８からの現在時刻と行動人物名（家族ＩＤ）とに基づいて、訪問者に関する情報で訪問者データベース１０１Ｂを更新する。
【０１０３】
ＣＰＵ１１０は、登録日から所定期間経過していない場合（ステップＳ２３２においてＮＯである場合）、訪問者データベース１０１Ｂを参照して、訪問者の関連情報として登録者の知り合いが来訪した旨をディスプレイ１０２に表示する（ステップＳ２３４）。また、ＣＰＵ１１０は、通信インターフェイス１０５を介して、テレビ５００に登録者を表示させる。
【０１０４】
図１５は、実施の形態２に係るディスプレイ１０２またはテレビ５００を示す第３のイメージ図である。図１５を参照して、ＣＰＵ１１０は、ディスプレイ１０２またはテレビ５００に、登録者の名前を含む、訪問者が来訪した旨のメッセージ１０２Ｄと、確認ボタン１０２Ｅとを表示させる。
【０１０５】
なお、訪問者データベース１０１Ｂが訪問者毎にメッセージを格納し、ＣＰＵ１１０が訪問者データベース１０１Ｂのメッセージをそのまま表示してもよいし、ＣＰＵ１１０が訪問者データベース１０１Ｂの登録者に基づいてメッセージを作成してもよい。
【０１０６】
ＣＰＵ１１０は、時計１０８を参照して、タイマをスタートする（ステップＳ２３６）。ＣＰＵ１１０は、タブレット１０３またはボタン１０４を介して確認ボタン１０２Ｅが押下されたか否かを判断する（ステップＳ２３８）。確認ボタン１０２Ｅが押下されていない場合（ステップＳ２３８においてＮＯである場合）、タイマをスタートしてから所定時間が経過したか否かを判断する（ステップＳ２４０）。
【０１０７】
タイマをスタートしてから所定時間が経過していない場合（ステップＳ２４０においてＮＯである場合）、ステップＳ２３８からの処理を繰り返す。タイマをスタートしてから所定時間が経過した場合（ステップＳ２４０においてＹＥＳである場合）、ＣＰＵ１１０は、処理を終了する。
【０１０８】
ＣＰＵ１１０は、確認ボタン１０２Ｅが押下された場合（ステップＳ２３８においてＹＥＳである場合）、ディスプレイ１０２またはテレビ５００に関連情報の表示を終了させる（ステップＳ２４２）。ＣＰＵ１１０は、タブレット１０３またはボタン１０４を介して、開錠ボタン１０２Ｃと非開錠ボタン１０２Ｆの入力を受け付ける（ステップＳ２４４。
【０１０９】
図１６は、実施の形態２に係るディスプレイ１０２またはテレビ５００を示す第４のイメージ図である。図１６を参照して、ＣＰＵ１１０は、ディスプレイ１０２またはテレビ５００に、開錠ボタン１０２Ｃと、非開錠ボタン１０２Ｆとを表示させる。
【０１１０】
ＣＰＵ１１０は、開錠命令を受け付けていない場合（ステップＳ２４４においてＮＯである場合）、非開錠命令を受け付けたか否かを判断する（ステップＳ２４６）。ＣＰＵ１１０は、非開錠命令を受け付けていない場合（ステップＳ２４６においてＮＯである場合）、ステップＳ２４４からの処理を繰り返す。非開錠命令を受け付けた場合（ステップＳ２４６においてＹＥＳである場合）、処理を終了する。
【０１１１】
ＣＰＵ１１０は、開錠命令を受け付けた場合（ステップＳ２４４においてＹＥＳである場合）、ステップＳ２２４からの処理を繰り返す。
【０１１２】
＜その他の実施の形態＞
本発明は、携帯電話や家電制御専用の端末（コントローラ１００）などにプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読み出し実行することによっても、本発明の効果を享受することが可能となる。
【０１１３】
この場合、記憶媒体から読み出されたプログラムコード自体が前述した実施の形態の機能を実現することになり、そのプログラムコードを記憶した記憶媒体は本発明を構成することになる。
【０１１４】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１１５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１１６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１７】
１  ネットワークシステム、１００  コントローラ、１０１，２０１，５０１  メモリ、１０１Ａ  家族データベース、１０１Ｂ  訪問者データベース、１０１Ｃ  顔データベース、１０１Ｄ  スケジュールデータベース、１０２，５０２  ディスプレイ、１０２Ａ  訪問者の画像、１０２Ｃ  開錠ボタン、１０２Ｅ  確認ボタン、１０２Ｆ  非開錠ボタン、１０３  タブレット、１０４，５０４  ボタン、１０５，２０５，５０５  通信インターフェイス、１０６  タッチパネル、１０７，５０７  スピーカ、１０８  時計、１１０  ＣＰＵ、１１１  データ取得部、１１２  顔検出部、１１３  顔照合部、１１４  認証判定部、１１５  データベース登録部、１１６  報知部、２００  屋外カメラ、２０２  センサ、３００  屋内カメラ、４００  ドア、４５０  錠、５００  テレビ、５０９  リモコン受信部、６００  ネットワーク。
【図１】
2012205261.tif 000003
【図２】
2012205261.tif 000004
【図３】
2012205261.tif 000005
【図４】
2012205261.tif 000006
【図５】
2012205261.tif 000007
【図６】
2012205261.tif 000008
【図７】
2012205261.tif 000009
【図８】
2012205261.tif 000010
【図９】
2012205261.tif 000011
【図１０】
2012205261.tif 000012
【図１１】
2012205261.tif 000013
【図１２】
2012205261.tif 000014
【図１３】
2012205261.tif 000015
【図１４】
2012205261.tif 000016
【図１５】
2012205261.tif 000017
【図１６】
2012205261.tif 000018